【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
被検体を載置する天板と、この天板を長手方向（ｚ軸方向）に移動させる天板駆動機構と、この天板駆動機構に制御信号を与えて前記天板の移動速度を制御するコンピュータとを備え、前記天板を連続的に移動させながら前記被検体の撮影を行なう磁気共鳴イメージング装置において、
前記天板駆動機構を制御して、前記天板を移動させる天板移動速度制御手段と、
前記天板を移動させながら核磁気共鳴信号からなる３Ｄデータを収集するデータ収集手段と、
前記データ収集手段による前記３Ｄデータの収集と並行して、前記データ収集手段で収集した３Ｄデータのうち一部の２Ｄデータを基に２Ｄ画像を取得する２Ｄ画像取得手段と、
前記データ収集手段による前記３Ｄデータの収集と並行して、前記２Ｄ画像を表示させる表示制御手段と、を有することを特徴とする磁気共鳴イメージング装置。
【請求項２】
前記３Ｄデータを基に３Ｄ画像を取得する３Ｄ画像取得手段を有し、前記天板移動速度制御手段は、入力された変速信号に従って前記移動速度を計算して、計算後の前記移動速度にて前記天板を移動させることを特徴とする請求項１に記載の磁気共鳴イメージング装置。
【請求項３】
前記２Ｄ画像取得手段は、前記データ収集手段で収集した３Ｄデータのうち、“ｋｙ＝一定”のｋｙに関する２Ｄデータを取得する２Ｄデータ取得手段と、この２Ｄデータ取得手段で取得した２Ｄデータをｚ軸方向にフーリエ変換し、ｋｘ−ｚのハイブリッド空間にて再配置する２Ｄデータ再配置手段と、この２Ｄデータ再配置手段でｋｘ方向に揃ったｚデータについて１次元フーリエ変換を行ない、実空間の２Ｄ画像を取得する２Ｄ画像再構成手段とを有することを特徴とする請求項１に記載の磁気共鳴イメージング装置。
【請求項４】
前記“ｋｙ＝一定”を“ｋｙ＝０”とすることを特徴とする請求項３に記載の磁気共鳴イメージング装置。
【請求項５】
ＲＦコイルを、少なくともｚ軸方向に複数の表面コイルで構成されるマルチコイルとし、前記複数の表面コイルで同時に前記核磁気共鳴信号を受信することを特徴とする請求項１に記載の磁気共鳴イメージング装置。
【請求項６】
前記３Ｄ画像取得手段は、前記データ収集手段で収集した３Ｄデータをｚ軸方向にフーリエ変換し、ｋｘ−ｋｙ−ｚのハイブリッド空間にて再配置する３Ｄデータ再配置手段と、この３Ｄデータ再配置手段でｋｘ，ｋｙ方向に揃ったｚデータについて２次元フーリエ変換を行ない、実空間の３Ｄ画像を取得する３Ｄ画像再構成手段と、この３Ｄ画像取得手段で取得した３Ｄ画像に画像処理を施す３Ｄ画像処理手段とを有することを特徴とする請求項２に記載の磁気共鳴イメージング装置。
【請求項７】
前記天板移動速度制御手段に対して、前記変速信号を入力する入力装置を具備することを特徴とする請求項２に記載の磁気共鳴イメージング装置。
【請求項８】
実際の前記天板の位置を計測する位置計測装置を有することを特徴とする請求項２に記載の磁気共鳴イメージング装置。
【請求項９】
被検体を載置する天板と、この天板を移動させる天板駆動機構と、この天板駆動機構に制御信号を与えて前記天板の移動速度を制御するコンピュータとを備え、前記被検体の内部の血管に造影剤を注入して前記天板を連続的に移動させながら前記被検体の撮影を行ない、前記造影剤の時間的な移動を画像化する磁気共鳴イメージング装置において、
前記天板を移動させながら、前記被検体の血流が強調された信号を含む核磁気共鳴信号からなる３Ｄデータを収集するデータ収集手段と、
前記データ収集手段による前記３Ｄデータの収集と並行して、前記データ収集手段で収集した３Ｄデータのうち一部の２Ｄデータを基に２Ｄ画像を取得する２Ｄ画像取得手段と、
前記データ収集手段による前記３Ｄデータの収集と並行して、前記２Ｄ画像を表示させる表示制御手段と、
前記３Ｄデータを基に３Ｄ画像を取得する３Ｄ画像取得手段とを有し、
前記データ収集手段による前記３Ｄデータの収集と並行して、入力された変速信号に従って前記移動速度を計算して、計算後の前記移動速度にて前記天板を移動させる天板移動速度制御手段と、を有することを特徴とする磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、被検体を載置する天板を連続的に移動しながら撮影可能領域内の被検体の画像を得る技術に係り、特に、血流速度に追随して天板を移動させる磁気共鳴イメージング装置に関するものである。
【手続補正４】
【補正対象書類名】明細書
【補正対象項目名】０００９
【補正方法】変更
【補正の内容】
【０００９】
本発明は、上述した事情を考慮してなされたもので、実際の造影剤の流れを観察しながら天板の移動速度を制御することができ、造影剤の流速に追随した画像データを取得できる磁気共鳴イメージング装置を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明に係る磁気共鳴イメージング装置によると、被検体の内部の実際の血流速度を観察しながら天板の移動速度を制御することができ、被検体毎、また、同一被検体であっても部位毎に異なる血流速度に追随した適正な画像データを取得できる。
【手続補正８】
【補正対象書類名】明細書
【補正対象項目名】００１５
【補正方法】変更
【補正の内容】
【００１５】
本発明に係る磁気共鳴イメージング装置の実施の形態について、添付図面を参照して説明する。
【手続補正９】
【補正対象書類名】明細書
【補正対象項目名】００１６
【補正方法】変更
【補正の内容】
【００１６】
図１は、本実施形態の磁気共鳴イメージング装置の構成を示す概略図である。
【手続補正１０】
【補正対象書類名】明細書
【補正対象項目名】００４４
【補正方法】変更
【補正の内容】
【００４４】
続いて、本実施形態の磁気共鳴イメージング装置の動作について、図２に示すフローチャートを用いて説明する。
【手続補正１１】
【補正対象書類名】明細書
【補正対象項目名】００９０
【補正方法】変更
【補正の内容】
【００９０】
図１４は、本実施形態の磁気共鳴イメージング装置の動作の変形例を示すフローチャートである。
【手続補正１２】
【補正対象書類名】明細書
【補正対象項目名】００９１
【補正方法】変更
【補正の内容】
【００９１】
磁気共鳴イメージング装置１０の動作の変形例によると、まず、入力装置３９を用いて、ユーザによってデータ収集条件の初期値がコンピュータ３２に入力される（ステップＳ２１）。データ収集条件としては、天板３５の移動速度、ｋｘ−ｋｙ−ｚのハイブリッド空間における天板３５の位置がある。
【手続補正１３】
【補正対象書類名】明細書
【補正対象項目名】０１０２
【補正方法】変更
【補正の内容】
【０１０２】
磁気共鳴イメージング装置１０によると、被検体の内部の実際の血流速度を観察しながら天板３５の移動速度を制御することができ、被検体毎、また、同一被検体であっても部位毎に異なる血流速度に追随した適正な画像データを取得できる。
【手続補正１４】
【補正対象書類名】明細書
【補正対象項目名】０１０３
【補正方法】変更
【補正の内容】
【０１０３】
【図１】本実施形態の磁気共鳴イメージング装置の構成を示す概略図。
【図２】本実施形態の磁気共鳴イメージング装置の動作を示すフローチャート。
【図３】ｋｘ−ｋｙ−ｚのハイブリッド空間を示す図。
【図４】ｋｘ−ｋｙ−ｚのハイブリッド空間に対応する実空間ｘ−ｙ−ｚを示す図。
【図５】天板上に臥位にて載置された被検体（胸部）の２Ｄ画像である血管造影像を模擬した図。
【図６】天板上に臥位にて載置された被検体（腹部）の２Ｄ画像である血管造影像を模擬した図。
【図７】天板上に臥位にて載置された被検体（下肢部）の２Ｄ画像である血管造影像を模擬した図。
【図８】天板の速度変化を示す図。
【図９】被検体毎における血流速度の差異の一例を示す表。
【図１０】天板の変速信号入力画面の一例を示す図。
【図１１】天板の変速信号入力画面の一例を示す図。
【図１２】天板の移動速度の変化に伴うデータの収集単位順を説明する図。
【図１３】天板の移動速度の変化に伴うデータの収集単位順を説明する図。
【図１４】本実施形態の磁気共鳴イメージング装置の動作の変形例を示すフローチャート。